(57)【特許請求の範囲】
【請求項１】
無線端末における方法であって、
少なくとも１つの特別に指定されたサブフレームにおける基準信号送信に関する信号情報を受信することであって、前記信号情報はリストを含み、該リストは基地局識別情報と、少なくとも１つの基地局識別情報及びパターンの間の関係とを含む、前記受信すること、
前記リストの中の前記基地局識別情報の少なくとも１つと、前記パターンとから、１つの基地局識別情報に関連する送信基地局からの観測到達時間差（ＯＴＤＯＡ）測定のための基準信号送信に関連する時間−周波数資源を決定すること、
基準タイミングに対する前記送信基地局からの送信到達時間を測定すること
を含む方法。
【請求項２】
サービングセルに対応する前記パターンを含む信号情報を受信することをさらに含む、請求項１に記載の方法。
【請求項３】
隣接セルに対応する前記パターンを含む信号情報を受信することをさらに含む、請求項１に記載の方法。
【請求項４】
隣接セルの基地局識別情報と前記パターンとの間の関係とともに隣接セルリストを受信することをさらに含む、請求項１に記載の方法。
【請求項５】
前記パターンは所定の時間−周波数再利用に従う、請求項１に記載の方法。
【請求項６】
前記基地局に対応する周波数層情報を受信することをさらに含む、請求項１に記載の方法。
【請求項７】
前記基地局に適用可能なＯＴＤＯＡ測定を目的として基準信号送信に関連する最小測定帯域幅を受信することをさらに含む、請求項１に記載の方法。
【請求項８】
前記基地局からのＯＴＤＯＡサブフレーム送信が調整されているか、部分的に調整されているか、または同期されていないかに関する展開型情報を受信することをさらに含み、前記展開型情報は調整、部分的調整、非同期、または検索ウィンドウサイズのうちの１つを直接示す、請求項１に記載の方法。
【請求項９】
前記基地局のシステムタイミングを受信することをさらに含み、前記システムタイミングは、システムフレーム番号に対応する、請求項１に記載の方法。
【請求項１０】
ＯＴＤＯＡ測定に対するセル固有の基準シンボル（ＣＲＳ）を使用するように指示を受信すること、無線端末が隣接セルＯＴＤＯＡ測定を実施すると予想される少なくとも１つのサブフレームに関する情報を受信することをさらに含む、請求項１に記載の方法。
【請求項１１】
サービング基地局に対する前記基地局のサブフレーム−サブフレームタイミング差を受信することをさらに備える、請求項１に記載の方法。
【請求項１２】
前記基地局識別情報は少なくとも物理セル識別情報（ＰＣＩＤ）またはサイト識別情報のうちの１つである、請求項１に記載の方法。
【発明の詳細な説明】
【技術分野】
【０００１】
本開示は、無線ネットワークにおいてユーザー位置推定を支援する目的で無線レシーバにおける観測到達時間差（ＯＴＤＯＡ）測定の性能を改善するための干渉制御、信号品質最適化、および信号強化に関する。
【背景技術】
【０００２】
無線通信ネットワークは公知である。一部のネットワークは完全に独占所有物であるが、他のネットワークは共通システムに対して無線端末などの装置を様々な製造供給元が製造できるように１つまたは複数の規格の対象となる。１つのこのような規格に基づくネットワークは、ユニバーサル・モバイル・テレコミュニケーション・システム（ＵＭＴＳ）である。ＵＭＴＳは、国際電気通信連合（ＩＴＵ）の世界共通の次世代携帯電話システムプロジェクトの範囲内で全世界的に適用可能な第３世代（３Ｇ）携帯電話システム仕様を作成するために、第３世代移動体通信システムの標準化プロジェクト（３ＧＰＰ）、電気通信協会のグループ間の協力によって標準化されている。典型的にＵＭＴＳロング・ターム・エボリューション（ＬＴＥ）または次世代ＵＭＴＳ地上波無線アクセス（Ｅ−ＵＴＲＡ）と称される次世代ＵＭＴＳ規格を開発するための努力が目下進行中である。
【０００３】
Ｅ−ＵＴＲＡまたはＬＴＥ規格または仕様のリリース８によると、基地局（別名「強化ノードＢ」または、略して「ｅＮＢ」）から無線端末または通信機器（別名「ユーザー装置」「ＵＥ」）までのダウンリンク通信では、直交周波数分割多重方式（ＯＦＤＭ）を利用する。ＯＦＤＭでは、直交副搬送波はディジタルストリームを用いて変調され、ディジタルストリームは、１組のＯＦＤＭシンボルを形成するためにデータ、制御情報、またはその他の情報を含んでいる場合がある。副搬送波は連続的であっても不連続であっってもよく、ダウンリンクデータ変調は四相位相変調（ＱＰＳＫ）、１６値直交振幅変調（１６ＱＡＭ）、６４値直交振幅変調（６４ＱＡＭ）などを用いて実施されてもよい。ＯＦＤＭシンボルは、基地局から送信するためにダウンリンクサブフレームに設定される。ＯＦＤＭシンボルは、持続時間を有し、循環接頭辞（ＣＰ）に関連している。循環接頭辞は、基本的にサブフレーム内の連続ＯＦＤＭシンボル間の保護期間である。Ｅ−ＵＴＲＡ仕様によると、通常の循環接頭辞は、約５μｓであり、拡張循環接頭辞（ｅｘｔｅｎｄｅｄ  ｃｙｃｌｉｃ  ｐｒｅｆｉｘ）は約１６．６７μｓである。
【０００４】
ダウンリンクとは対照的に、ＵＥからｅＮＢへのアップリンク通信では、Ｅ−ＵＲＴＡ規格に従って単一搬送周波数分割多元接続（ＳＣ−ＦＤＭＡ）が利用される。ＳＣ−ＦＤＭＡでは、ＱＡＭデータシンボルのブロック伝送が第１の離散フーリエ変換（ＤＦＴ）拡散（またはプレコーディング）によって実施され、これに従来型のＯＦＤＭ変調器への副搬送波マッピングが続く。ＤＦＴプレコーディングの使用によって、ＵＥ電力増幅器のコスト、サイズ、および消費電力の削減につながる適度なキュービックメトリック／ピーク−平均電力比（ＰＡＰＲ）が可能になる。ＳＣ−ＦＤＭＡに従って、アップリンク送信に使用される各副搬送波は、送信された変調信号すべてに関する情報を含み、入力信号ストリームはこれらの変調信号に拡散されている。アップリンクにおけるデータ送信は、ｅＮＢによって制御され、ダウンリンク制御チャネルによって送られるスケジューリング要求（およびスケジューリング情報）の送信を伴う。アップリンク送信のスケジューリング許可は、ダウンリンクのｅＮＢによって提供され、とりわけ、資源割当（たとえば、１ｍｓ間隔当たりの資源ブロックサイズ）およびアップリンク送信に使用されるべき変調の識別を含む。高次の変調と適応変調および符号化（ＡＭＣ）を加えると、好都合なチャネル条件でユーザーをスケジュールすることによって大きいスペクトル効率が可能である。
【０００５】
また、Ｅ−ＵＴＲＡシステムでは、容量を増すためにダウンリンクに多重入力および多重出力（ＭＩＭＯ）アンテナシステムを使用しやすい。公知のように、また図２に示す通り、ＭＩＭＯアンテナシステムが複数の送信アンテナ２０４を使用してｅＮＢ  ２０２で採用され、複数の受信アンテナを使用してＵＥで採用される。ＵＥでは、チャネル推定、後続のデータ復調、および報告するリンク品質測定のためにｅＮＢ２０２から送られるパイロットシンボルまたは基準シンボル（ＲＳ）を利用してもよい。フィードバックのためのリンク品質測定は、ランクインジケータなどの空間パラメータ、または同じ資源で送られるデータストリームの数；プレコーディング・マトリクス・インデクス（ＰＭＩ）；および変調およびコーディング体系（ＭＣＳ）またはチャネル品質インジケータ（ＣＱＩ）などのコーディングパラメータを含んでいてもよい。たとえば、リンクが１よりも大きいランクをサポートしうると判断する場合、ＵＥは複数のＣＱＩ値（たとえば、ランク＝２であるとき２つのＣＱＩ値）を報告してもよい。さらに、リンク品質測定は、サポートされたフィードバックモードの１つでｅＮＢによって指示されるように周期的または非周期的に報告されてもよい。報告はパラメータの広帯域またはサブバンド周波数選択情報を含んでいてもよい。ｅＮＢには、アップリンクおよびダウンリンクチャネルでＵＥを役立てるために、ランク情報、ＣＱＩ、およびアップリンク品質情報など他のパラメータを使用してもよい。
【０００６】
さらに公知のように、最近の携帯電話は、緊急の際にデバイスおよびその所有者を探すのに役立ち、連邦通信委員会（ＦＣＣ）からのＥ−９１１指令に適合するように全地球測位システム（ＧＰＳ）レシーバを含む。ほとんどの状況下で、電話のＧＰＳレシーバは、適正な量のＧＰＳ衛星から信号を受信してその情報を、たとえば、無線ネットワークの一部に結合された、あるいは無線ネットワークの一部を形成するロケーションサーバーによってデバイスの位置を判断するために携帯電話システムの基幹施設に伝達しうる。しかしながら、状況によってはＧＰＳレシーバが役に立たないこともある。たとえば、携帯電話を所持しているユーザーが建物の中に居るとき、ＧＰＳレシーバは適正な量のＧＰＳ衛星からロケーションサーバーがデバイスの位置を判断しうる信号を受信することができない場合がある。さらに、プライベートシステムの無線機器は、ＦＣＣ  Ｅ−９１１指令を満たすことを要求されず、ＧＰＳレシーバを含まない場合がある。しかしながら、このようなシステムで動作する無線機器の位置を判断することが必要な状況が生じるかもしれない。
【０００７】
ＧＰＳシステムが間欠的に無効になる可能性を補償し、プライベートシステムにおいて位置を判断する機能を備えるために、多くの無線システムは信号を利用して無線機器の位置を推定しうるプロセスを含んでいる。たとえば、多くのシステムでは、基地局は、無線機器によって受信され、ロケーションサーバーなどの基幹機器が無線機器の位置を計算（たとえば、三角測量および／または三辺測量によって）するための基準となる情報を決定するか、あるいは無線機器の位置を自律的に（すなわち、無線機器自体において）決定するために使用される測位基準信号を一定の間隔で送信する。ロケーションサーバーが無線機器の位置を計算しようとするとき、測位基準信号の受信時に無線機器は到達時刻（ＴＯＡ）または到達時間差（ＴＤＯＡ）情報を決定し、ＴＯＡまたはＴＤＯＡをサービング基地局（すなわち、無線機器に無線通信サービスを提供する基地局）を経由してロケーションサーバーに伝達してもよい。ＴＯＡまたはＴＤＯＡ情報は、典型的に、公知の方法に従って無線機器の局所発振器によって確立される無線機器の内部クロックに基づいて決定される。
【０００８】
ＧＳＭ、ＷＣＤＭＡ、１ｘＲＴＴ、およびＥＶ−ＤＯを含む他の無線アクセスタイプのために現在提供される機能および性能を有し、あるいはこれらを凌ぐパリティを実現する測位機構の手段を提供するための３ＧＰＰ無線規格フォーラムにおいて作業が進行中である。この作業の目的は、ＬＴＥアクセスに関連する測位機能および特徴のサポートを含めると同時に、３ＧＰＰ規格のＲｅｌ−８に従ってＬＴＥおよびＥＰＳをサポートするネットワークおよびＵＥとの下位互換性を確保することである。所望の測位機能および特徴は以下を含む。
−ＥＰＳおよびＯＭＡ  ＳＵＰＬに対する制御プレーンＬＣＳソリューションの両方に対応し、これを有効にする測位プロトコル
−ＵＥアシスト型およびＵＥベースアシスト型全地球的航法衛星システム（Ａ−ＧＮＳＳ）
−ＵＥアシスト型およびＵＥベースモードで動作しうるＥ−ＯＴＤ、ＯＴＤＯＡ、およびＡＦＬＴに類似しているダウンリンク地球測位法（なお、単一のダウンリンク方法が規定される）
−ＵＥおよび／またはｅＮｏｄｅ  Ｂに由来する強化型セルＩＤ測定
観測到達時間差、またはＯＴＤＯＡ、または略してＯＴＤ法など、ダウンリンク方法をサポートする、ＬＴＥ  Ｒｅｌ−８における既存の移動度測定報告の拡張可能性が提案されている。ＵＥ−中心である（この場合、ＵＥは補助データのネットワークによる配信のない位置固定（ｐｏｓｉｔｉｏｎａｌ  ｆｉｘ）を発生しうる）方法が知られており、その他の方法はＵＥアシスト型である（この場合、ＵＥの測定値はロケーション固定を生成するための他のデータと組み合わせるために、ネットワークまたはロケーションサーバー（ＬＳ）などのネットワーク要素に配信される）。
【０００９】
測定「トリプレット」−すなわち、ＰＣＩＤ．ＲＳＲＰを形成するためのＵＥ測定型セル相対的タイミング情報を加えて、目標セルの物理セル識別情報（ＰＣＩＤ）および基準信号受信電力（ＲＳＲＰ）と、一部の基準セル、たとえば、サービングセルに対する相対的セルタイミングとの組合せを報告することが可能であり、この場合、サービングセルが１つまたは複数の非併置セルで構成される。同様のアプローチは、ＷＣＤＭＡを含むＷｉＭＡＸまたは一般的なＣＤＭＡシステムでサポートされることが知られている。
【００１０】
ネットワークを備える基地局が時間的に調整されていないが既知の相互のタイミングオフセットを有する場合を含む、ネットワークが同期的でない場合でも、このような方法の適用は知られている。
【００１１】
特に、ＵＥは、同期セルおよび非同期セルの両方に対する相対的タイミングを報告し、この場合、ロケーション固定を達成するために相対的ＢＳ（基地局）間のタイミングをすべて補正することはネットワークに委ねられる。
【００１２】
ネットワーク、またはＬＳは、ＵＥが自律固定（ａｕｔｏｎｏｍｏｕｓ  ｆｉｘｅｓ）（ＵＥ中心である）を実施できる相対的ｅＮＢタイミングをさらに送信しうるが、これはやはりＵＥが利用できるネットワークまたはＬＳ、あるいはＵＥ内の確かな実体、特定のｅＮＢロケーションを必要とし、通信事業者はそうすることを望まないかもしれない。
【図面の簡単な説明】
【００１３】
【図１】無線通信機器に無線通信サービスを提供する無線通信システムの電気的ブロック図である。
【図２】図２の無線通信システムで使用可能な例示的な基地局と無線通信機器との電気的ブロック図を示す。
【図３】無線通信機器に測位基準信号を送信するダウンリンクサブフレームを発生させるために基地局によって実行されるステップの論理流れ図である。
【図４】測位基準信号を含むダウンリンクサブフレームを処理するために無線通信機器によって実行されるステップの論理流れ図である。
【図５】ダウンリンクサブフレームを処理するために無線通信機器によって実行されるステップの論理流れ図である。
【図６】ダウンリンクサブフレームを処理するために無線通信機器によって実行されるステップの論理流れ図である。
【図７】無線通信機器に送信するダウンリンクサブフレームを発生させるために基地局によって実行されるステップの論理流れ図である。
【発明を実施するための形態】
【００１４】
同様の参照番号が個別の図を通じて同じ要素または機能的に類似した要素を指し、以下の「発明を実施するための形態」とともに組み入れられて本明細書の一部を形成する添付図は、本発明の１つまたは複数の実施形態に完全に従って様々な実施形態をさらに示し様々な原理および優位性を説明する役割を果たす。
【００１５】
基本的な基準信号シーケンスの強化は別として、ＣＯＭＰ方法などのセル間（セクター間を含む）調整方法を用いるＯＴＤ波形可観測性（すなわち、ＳＩＮＲ）はさらに最適化されうる。
【００１６】
本明細書で開示する一実施形態は、セル間、またはセクター間、強化型観測時間差（ＯＴＤ）信号伝送調整の方法を含む。たとえば、複数のｅＮＢ１０３、１０４、１０５（図１）送信強化型ＯＴＤ測定信号は、協調してそうしてもよく、たとえば、同一の、あるいは関係しているが協調のとれた、すなわち同時にスケジュールされた時間−周波数領域を占有するようにしてもよい。同じ時間−周波数領域が使用される場合、ＯＴＤ測定を目的として単一の「仮想的な」ｅＮＢがＵＥ１１０によって報告されてもよい。このような「仮想的な」ｅＮＢには、協調送信を備えるｅＮＢのＯＴＤ測定波形またはシーケンスとは異なるＯＴＤ測定波形またはシーケンスを採用してもよい。このような協調送信は、同じｅＮＢ−たとえば、同じ基地局サイトの併置されるセクターの制御下で動作する同期トランスミッタを用いて優先的に行われる。このアプローチでは、併置されるセクターは、同じ波形を重複する時間−周波数資源で送信する。ある実施形態では、有効なすべてのＰＣＩＤが互いに素な集合Ｓ１、Ｓ２、．．．ＳＮに分割可能であり、ここで、Ｓは、同じｅＮＢによって制御される種々の併置されるセクター（あるいは、地理的に近接したセクターまたはセル）に割り当てられうる１組のＰＣＩＤを表わす。展開の観点から、ＰＣＩＤは「セクターＩＤ」であり、所与の基地局サイトに割り当てられるＳｎのインデックスｎは「セルサイトＩＤ」である。その結果、セルサイトＩＤは、固有の波形に割り当てられる。サイト展開が遠隔アンテナをサポートする（たとえば、ファイバー上のＲＦによって）場合、ｅＮＢは、ＯＴＤ推定を目的として親ｅＮＢのそれとは異なる少なくとも１つのＯＴＤシーケンスで、同じｅＮＢの制御下で１つまたは複数の遠隔アンテナからの送信を協調してスケジュールしてもよい。ＵＥは、最適化された測定パターンを協調してスケジュールしている各ｅＮＢに対するＯＴＤを協調して推定してもよい。協調送信はダウンリンク上の資源ブロック（ＲＢ）の部分集合のみに制限されてもよく、ｅＮＢはロケーション支援で利用されないＲＢにおける他のユーザーに対するデータを弾力的にスケジュールしうる。また、ＵＥの周囲のデータを適切にレートマッチ処理しうるＲｅｌ．９またはＲｅｌ．１０ユーザーにロケーションパイロットで部分的に満たされているＲＢを割り当てることも可能であるはずである。ＰＤＳＣＨ部全体がロケーション支援のために備えられる場合（マルチキャスト放送単一周波数ネットワークまたはＭＢＳＦＮ信号、またはユニキャスト信号による）、ｅＮＢには追加ロケーション支援情報を送るために物理ダウンリンク制御チャネル（ＰＤＣＣＨ）を使用しうる。ＭＢＳＦＮ信号は、システム情報のオーバーヘッドが過剰となる（２４ビット＋追加ビット）ために好ましくない。無線基地局における方法としてのこの実施形態は、少なくとも２つのトランスミッタからＯＴＤ推定強化のためのシーケンスを協調してスケジュールし送信することを含む。さらに、この実施形態では、協調してスケジュールされる時間−周波数資源は、各トランスミッタにおいて同じである可能性がある。あるいは、各トランスミッタは、単一ｅＮＢの制御下にあってもよい。あるいは、送信されたシーケンスは、ＰＣＩＤ、グローバルセル識別子（ＧＣＩＤ）、システムフレーム番号（ＳＦＮ）、サブフレームインデックス、単一セルまたは測定チャネルの適用される無線ネットワークトランザクション識別子（ＲＮＴＩ）の１つまたは複数によって規定される。
【００１７】
一実施形態は、セル間ＯＴＤ測定強化パターン送信に関する。システム情報ブロック（またはＳＩＢ）は、ＵＥ  １１０がこれらのセルのＯＴＤ推定をスケジュールしうるように周囲のセルに適用される拡張された測定パターンを伝達しうる。ＳＩＢは、ＰＣＩＤと「パターン」の関係を（「隣接リスト（ｎｅｉｇｈｂｏｒｓ  ｌｉｓｔ）」または同様のリストによって）伝達している可能性があり、あるいは、これは３ＧＰＰの仕様書で指定されうる。拡張された測定パターンは、半静的干渉特性を最適化するために再利用パターンに従って配置されうる。また、隣接セルパターン情報は、隣接セルシステム情報（たとえば、一次ブロードキャストチャネル（ＰＢＣＨ）またはＳＩＢの未使用ビット）の少なくとも一部を読み取ることによって決定されてもよい。測定パターンは搬送波ごとに送られうる。たとえば、測定パターンはＰＣＩＤおよび搬送周波数の少なくとも一方とともに送られうる。当該パターンは、以下の少なくとも１つを含む信号で伝達されうる。
ａ．ＯＴＤＯＡ波形を送信するサブフレームのオフセット（たとえば、システムフレーム番号またはＳＦＮラップ・アラウンド・ポイントに対するオフセット）
ｂ．ＯＴＤＯＡサブフレームの周期性（たとえば、複数のサブフレームにおける）
ｃ．ＯＴＤＯＡサブフレーム内の時間−周波数資源要素（ＲＥ）パターン
基地局は、受信した拡張信号とこれを送信した隣接セルとの関係を決定するためにＵＥを有効にするブロードキャストにおいて測定パターンをＵＥに伝達する。この方法の場合、ＵＥは、種々の基地局からのＯＴＤ波形を送信する時間−周波数資源を決定することができる。この実施形態では、無線端末に関して、方法は、サービングセルと、ブロードキャスト信号（たとえば、ＳＩＢ）または無線資源設定（ＲＲＣ）メッセージにおける隣接セルとに適用されるＯＴＤ信号に対応する拡張測定パターンに関する情報を受信することを含む。ＵＥは、隣接セルのＰＣＩＤと測定パターンとの関係とともに隣接セルリストを受信する。方法は、搬送周波数に固有の測定パターンを受信することを含んでいてもよい。方法は、一定の時間−周波数再利用パターンに従う測定パターンを受信することを含んでいてもよい。方法は、隣接セルブロードキャスト（たとえば、ＰＢＣＨ、ＳＩＢ）の少なくとも一部を読み取ることによって測定パターンを受信することを含んでいてもよい。方法は、基準点（たとえば、ＳＦＮラップ・アラウンド・ポイント）、ＯＴＤＯＡサブフレームの周期性、ＯＴＤＯＡサブフレーム内の時間−周波数ＲＦパターンに対するＯＴＤＯＡサブフレームの類のオフセットの少なくとも１つを受信することでさらに構成されるｅＮＢから伝達された測定パターンを受信することを含んでいてもよい。
【００１８】
別の実施形態は、ＯＴＤＯＡ測定にプロトコルサポートを提供することに関する。層１／層２方法は、ＳＵＰＬ  ２．０のような測位プロトコルをサポートするために必要である。ＵＥ  １１０は、ある順序（たとえば、ＲＳＲＰ、ＲＳ−ＳＩＮＲなど）で測定しうる基地局１０３〜１０５をリストすることが可能であり、測定できるセルからＯＴＤＯＡ波形に関する情報を送るようネットワークに要求することが可能である。ＮＷは、要求される基地局の少なくとも部分集合からの送信に対応する時間−周波数情報を送ることが可能である。無線端末に関して、この実施形態は、一定のランキング順（たとえば、ＲＳＲＰ、ＲＳ−ＳＩＮＲ）に従って基地局を確認しリストする無線端末における方法を含む。方法は、ＯＴＤＯＡ波形を送信するためにｅＮＢに隣接セルのリストを送ることを含んでいてもよい。無線基地局に関して、この実施形態は、ＵＥが理解しうる少なくとも１つの基地局１０３、１０４、１０５に関する情報を含むＵＥからの報告を受信する無線基地局における方法を含む。方法は、１つまたは複数の基地局からの（たとえば、Ｘ２上またはロケーションサーバー１０８からの）ＯＴＤＯＡ波形に対応する時間−周波数情報を受信することを含んでいてもよい。さらに、方法は、種々の基地局が使用する（ＳＩＢまたはＲＲＣまたはＰＤＣＣＨで）ＯＴＤＯＡ波形に対応する時間−周波数情報を送信することを含んでいてもよい。
【００１９】
別の実施形態は、ＯＴＤＯＡ測定の周波数間ギャップ設定に関する。サービング搬送周波数に対する干渉は、サービング／隣接セルへのローディングの関数であるので、サービング／隣接セルのＯＴＤＯＡ測定が劣化する状況をもたらす可能性がある。ローディングが小さい場合、他の搬送波でセルのＯＴＤＯＡを測定するためにＵＥを設置することが好ましいかもしれない。この場合、ＮＷは、まずＵＥを設定して一定の搬送周波数で見ることができるセルのＲＳＲＰなどを検出して報告しうる。その結果、ＮＷは、これらの周波数間搬送波でギャップアシスト型ＯＴＤＯＡ測定を設定しうる。ＵＥからのＲＳＲＰ／ＲＳＲＱ報告に基づくＮＷによって推定されうる特定層のセルの「可聴性（ｈｅａｒａｂｉｌｉｔｙ）」に基づいて、ＮＷは特定ＵＷを設定して一定の搬送周波数で一定のセルに対するＯＴＤＯＡ測定を実施しうる。周波数間搬送波でのＯＴＤＯＡサブフレームのＳＦＮおよびサブフレームタイミングは、非同期ネットワークにおけるサービングセルにとって未知であるかもしれない。その場合、ＵＥは、周波数間搬送波で一定セルのＭＩＢを読み取って、適切な時点でギャップを設定しうるようにこのＭＩＢをサービングセルに送ってもよい。ＯＴＤＯＡサブフレーム構造および周期性に応じて、新しいギャップパターンがＲＲＣ／ＲＲＭ仕様で規定されているかもしれない。たとえば、ＯＴＤＯＡ波形のすべてが１つのサブフレームで送信される場合、少なくとも２ｍｓ（＝１ｍｓ信号受信＋２×０．５ＲＦスイッチング時間）に等しい送信ギャップ長（ＴＧＬ）が要求されるかもしれない。同期展開の場合、３ｍｓのＴＧＬは、ＯＴＤＯＡサブフレームが影響を受ける前後にサブフレームとして必要であるかもしれない。また、ＯＴＤＯＡ波形が、たとえば、２４０ｍｓの周期性でブロードキャストされる場合、ギャップ周期性は２４０ｍｓまたはその倍数であることが好ましいはずである。ギャップパターンの設定および除去は、ＲＲＣメッセージによってＵＥごとに行われうる。ギャップパターンの設定は、ＵＥに送られるロケーション情報を包含するＲＲＣメッセージの一部としてＵＥによって黙示的に推定されてもよい。無線端末に関するこの実施形態は、ＮＷからの周波数間測定設定コマンドを受信することを含む。方法は、ＲＳＲＰまたは基準信号受信品質（ＲＳＲＱ）測定を確認し実施することと、設定された一定の周波数間搬送波でセルに関する報告をトリガーすることとを含んでいてもよい。方法は、周波数間搬送波でセルのＭＩＢを読み取ることによってサービングセルに報告されるＳＦＮタイミングを検出することを含んでいてもよい。方法は、ＯＴＤＯＡ測定の実施を開始するためにＮＷからのコマンドを受信することを含んでいてもよい。方法は、サービングセルからの送信ギャップが有効にされる（たとえば、ＯＴＤＯＡ測定ギャップの設定とタイマー終了または測定報告に続く後続の除去とによって）時刻に関する情報をコマンドが含む場合に、このコマンドを受信することを含んでいてもよい。無線基地局に関して、この実施形態は、ＵＥからの一定の周波数間搬送波でＰＣＩＤおよびＲＳＲＰ／ＲＳＲＱからなる測定報告を受信することを含んでいてもよい。方法は、ＵＥ���ら検出されたセルのＳＦＮ情報を受信することを含んでいてもよい。方法は、少なくとも１つのＰＣＩＤ、報告されたＳＦＮなどからの隣接するセルに対応するＯＴＤＯＡサブフレームのタイムロケーションを決定することを含んでいてもよい。方法は、ＯＴＤＯＡ測定ギャップをＵＥが一定の搬送周波数に切り替えることができるように設定することを含んでいてもよい。方法は、タイマー終了またはＵＥからのＯＴＤＯＡ測定報告の受信に応じて測定ギャップを停止することを含んでいてもよい。
【００２０】
さらに別の実施形態は、時間内の測位基準信号（ＰＲＳ）ロケーション、搬送周波数、隣接セルリスト、および他のサイド情報の伝達に関する。ダウンリンクＯＴＤＯＡがロケーション推定に使用されることは一般的に理解される。このアルゴリズムは、サービングｅＮＢ以外のｅＮＢからの「聴取（ｈｅａｒ）」信号に対するＵＥの能力に依存する。検討からは、既存の共通の基準シンボルが可聴性の視点から十分でないことを示しているものと思われる。それゆえ、新しい測位基準シンボル（ＰＲＳ）を各ｅＮＢから周期的に送信することが複数の企業によって提案されている。ＰＲＳは、特殊な「ＰＲＳ」サブフレームで周期的に送信されるであろう。所与のｅＮＢはサブフレーム内の資源要素（ＲＥ）の一部のみで伝わることに留意されたい。少なくとも１つの実施例では、制御シンボルおよびＰＲＳに割り当てられたＲＥ以外のすべてのＲＥは、所与のｅＮＢによって使用されないであろう。
【００２１】
同期システムでは、ＰＲＳ送信は、すべてのｅＮＢの間で同期化される。このことは、以下を含むいくつかの優位性を有する。
１．ＵＥは、ｅＮＢが制御信号またはＰＲＳ信号を送信するために使用していない任意のＲＥ内でＰＲＳサブフレーム中の他のｅＮＢを聴取することができる。それゆえ、ＰＲＳサブフレームの少なくとも一部にわたってサービングｅＮＢがミューティングされる。これらのＲＥでは、干渉が大幅に減少され、ＵＥは他のｅＮＢをより容易に聴取しうる。
２．ＵＥの検索作業は大幅に削減される。ＵＥは、（ＰＲＳサブフレーム内にある）ＰＲＳシーケンスに対するＰＲＳサブフレームを検索するだけで十分である。
【００２２】
非同期システムでは、サブフレームは同期化されておらず、それゆえ、ＰＲＳサブフレームは同期化されていないことになる。一般に、種々のｅＮＢから送信されたＰＲＳサブフレーム間ではタイミング関係がないものと仮定されうる。このような場合、単一サブフレームをセルフミューティングすることによって他のすべてのｅＮＢをＵＥがよく聴取しうるようにすることはｅＮＢにとってもはや可能でない（たとえ、隣接基地局ｅＮＢがＰＲＳサブフレームを送っていることをサービングｅＮＢが知っていても、選択された隣接基地局からのＰＲＳ送信をＵＥに聴取させるためにｅＮＢをミューティングすることは可能である）。それゆえ、非同期システムでは、サービングｅＮＢが隣接基地局ｅＮＢの各々のＰＲＳサブフレーム送信中にミューティングしなければ可聴性が低下する。
【００２３】
さらに、非サービングｅＮＢのＰＲＳサブフレームがサービングｅＮＢのＰＲＳサブフレームに同期されないので、ＵＢはどこでＰＲＳサブフレームを探すべきか分からず、ＵＥはＰＲＳシーケンスを連続的にスキャンする必要があろう。この場合、問題はＳＣＨ検出よりも実際に複雑である。ＳＣＨ検出の場合、ＳＣＨ送信が任意の６つの連続サブフレーム内にあることをＵＥは保証されうる。それゆえ、ＵＥは、６ｍｓのサンプルをバッファーすることによって非実時間でＳＣＨに対してスキャンしうる。ＰＲＳサブフレームは１００サブフレームごとに１回だけ送られればよいので、ＰＲＳシーケンスに対して非実時間スキャニングを実施するためにＵＥは１０１ｍｓのサンプルを取り込む必要があろう。
【００２４】
最後に、ロケーションを目的として、ＵＥは同期チャネルを介してＲＲＭセル検索検出に必要な信号レベルよりも低い信号レベルで隣接ｅＮＢから信号を検出しなければならないことに留意されたい。それゆえ、ＲＲＭセル検索を介してＵＥによって見出される１組の隣接ｅＮＢ（および対応するタイミング）は、ロケーションを目的として測定されるべきｅＮＢを確認するのに十分でない。
【００２５】
要約すれば、ＰＲＳサブフレームが同期化されない非同期システムでは、
ｉ）ＵＥはＰＲＳサブフレームのロケーションを知らないのでＵＥはどこでＰＲＳシーケンスを探すべきかを分からない。
ｉｉ）ＵＥはどのＰＲＳ  ｅＮＢが近くにあるかを知らず、それゆえ、どのＰＲＳシーケンスを探すべきかを分からない。
サービングｅＮＢからのある種の支援がなければ、ＰＲＳの検出はＳＣＨの検出よりもはるかに複雑で困難であり、かつ計算が複雑である。
【００２６】
なお、さらに、非常に大きい検索空間におけるＰＲＳシーケンスのブラインド検出は、きわめて不完全に機能する。各ＰＲＳシーケンスのブラインド検出は、各ＰＲＳシーケンスが１００ｍｓにわたるすべての可能なタイミング仮説に関係付けられる必要があり、１０ＭＨｚの帯域幅に対して、ＰＲＳシーケンス当たり必要な相関の数は１５０万を超えるであろう。ブラインド検出の場合、本発明者らは、一般に、これらの相関の最大値に対応するタイミングを選ぶことになる。しかしながら、弱い信号の場合、所望の信号がないときの多数の相関は一般に所望の信号が存在する場合の相関を上回り、それゆえ、タイミング推定は正しくないことになる。複雑さを制限して性能を向上させるためには、検索空間の範囲を制限する必要がある。これを行うために、本発明者らは下記を提案する。
【００２７】
ＵＥからまたは別の情報源からのロケーション要求を開始すると、ｅＮＢは、
ｉ）ＵＥが検索すべき（予め設定された）ＲＲＳシーケンスのインデックスをＵＥに伝達し、
ｉｉ）各ＰＲＳシーケンスに対応するＰＲＳサブフレームのロケーション（タイミング情報）をＵＥに伝達すべきである。
また、この情報は、ＳＩＢメッセージで周期的にブロードキャストされうる。
【００２８】
非同期システムでは、各隣接セルのＰＲＳサブフレームは、サービングｅＮＢのサブフレームの２つと部分的に重なる（さもなければ、２つのｅＮＢが同期している）。それゆえ、ｅＮＢは、隣接セルの次のＰＲＳサブフレームが重なる第１のサブフレーム（サービングセルの）インデックスをＵＥに伝達することになる。ＵＥは、この後、隣接セルのＰＲＳシーケンスに対するサブフレームインデックスの開始で始まる２ｍｓ時間間隔で検索することになる。こうして、検索間隔は１０１ｍｓから２ｍｓに短縮される。
【００２９】
隣接ｅＮＢのＰＲＳサブフレームのタイミングに関するサービングｅＮＢに利用できるタイミング情報の分解能は、１ｍｓのサブフレーム期間よりもはるかに小さくてよい。この場合、ｅＮＢは、ＵＥにより正確なタイミング情報を提供することによって、隣接ＰＲＳサブフレームに対するモバイル検索空間をさらに縮小しうる。特に、ｅＮＢは、次のＰＲＳサブフレームが重なる第１のサブフレーム／シンボルに対するサブフレームインデックスおよびシンボルインデックスの両方を携帯電話に伝達しうる。この場合、ＵＥは、ＰＲＳシーケンスに対するこのシンボルと次の連続したＮ個のシンボルとを検索することになり、ここで、Ｎはサブフレーム当たりのシンボルの数である。あるいは、ｅＮＢは、ＵＥに対するＰＲＳシーケンス検索間隔を最小化するために最大分解能でＵＥにこのタイミング情報を送ることができる。
【００３０】
ＰＲＳサブフレームの周期性は、ネットワークによって設定可能であってもよい。そうであれば、周期性はＳＩＢブロードキャストに含まれるべきである。一般に、すべてのネットワークがＰＲＳサブフレームに対して同じ周期性を選定してもよいわけではない。さらに、すべてのｅＮＢが同じ周期性を使用してよいわけではない。ネットワーク負荷に応じて、ｅＮＢは、ＰＲＳサブフレームをブロードキャストすることを程度の差はあれ頻繁に選定してもよい。このような１つの実施例では、ＰＲＳ信号の周期的送信に対して最短時間間隔Ｔを規定してもよい。この最短時間間隔を使用するよりはむしろ、一部のネットワークおよび／またはネットワーク内のｅＮＢでは、ＰＲＳの周期的送信に対してこのベース時間間隔Ｔの整数倍を採用してもよい。しかしながら、この場合、同期ネットワークでは、ＰＲＳに対する検索を簡素化するとともにＰＲＳの可聴性を改善するために、ベース送信間隔Ｔの同じ倍数Ｎを用いるｅＮＢが時間調整されるように送信時間が規定されるべきである。ＰＲＳ情報がＳＩＢで伝達される場合、ＳＩＢはＰＲＳサブフレームを送信する周波数層を含むべきである。
【００３１】
場合によっては、ネットワークは、一部の周波数層でＰＲＳ送信をサポートするだけでよく、関連オーバーヘッドを最小化するために他の周波数層ではサポートされないかもしれない。あるいは、確実なロケーション推定値を得るのに足る数のＴＯＡ測定値をＵＥが得るための１つの周波数層に十分な「可聴」ｅＮＢがない場合がある。このような場合、ＰＲＳ送信のインデックスおよびタイミングに加えて、ネットワークがＵＥに周波数層を伝達する必要があろう。ＰＲＳを送信する周波数層がサービングセル搬送波とは異なる場合、サービングセルはＯＴＤＯＡ測定ギャップを設定する必要がある。サービングセルは、ＵＥがそのＲＦを目標周波数層にシフトし測定を実施しうるようにＤＬおよび／またはＵＬデータをスケジュールすべきではない。このような状況では、ｅＮＢはこのギャップのタイミングをＵＥ（たとえば、ギャップ、ギャップ期間などの開始に対応するＳＦＮインデックス／サブフレームインデックス／シンボルインデックスなど）に伝達するべきである。
【００３２】
可聴性を改善するために、ＰＲＳシーケンスは、割り当てられる資源要素の組またはこれらのＲＥに割り当てられる値のシーケンスのいずれかに対して周期的に変化してもよい。そうであれば、ＵＥ固有の信号またはＭＩＢメッセージは、所与のｅＮＢに対するＰＲＳシーケンスの現状を示すために十分な情報を提供するべきである。たとえば、ＰＲＳ送信がＮ個の値の間で周期的にシフトする場合、次の送信時にＰＲＳの状態を与えるインデックスが提供されるべきである。
【００３３】
信号に関係している一部の態様は以下の通りである。
１．ＯＴＤＯＡ測定はＬＴＥ  Ｒｅｌ−９におけるＰＲＳサブフレームまたは低干渉のサブフレーム上（たとえば、サービング・セル・ミューティングによってＣＲＳ上）で実施されうるが、ＵＴＲＡでは、サービングがＩＰＤＬギャップ（すなわち、サービングセルが送信をミューティングしているスロットの組）を提供するとき、測定はＣＰＩＣＨ（ＦＤＤ）または別の信号チャネル（ＴＤＤ）で実施される。
２．３つの展開状況が考えられる。本出願では、「ＯＴＤＯＡサブフレーム」という用語は、これがＰＲＳ送信、サービング・セル・ミューティングによる単なるＣＲＳ送信のいずれを包含するかにかかわらず、ＯＴＤＯＡ測定のためにＵＥで使用されるサブフレームを示すために使用される。
ａ）同期−これに関しては、ＯＴＤＯＡサブフレームのすべてが調整され、かつ種々のセルのＳＦＮ数が調整される場合とされない場合がある。ＵＥではサービングセルＰＲＳ送信の小さい検索ウィンドウ内のＰＲＳを探す必要がある（たとえば、通常のＣＰでは、検索ウィンドウサイズ、すなわちＳＷＳ＝３×ＣＰ〜１５μｓであり、ＵＥではサービングセルＯＴＤＯＡサブフレームの±ＳＷＳ内に列挙された隣接基地局からＯＴＤＯＡサブフレームを見つけることができる）。
ｂ）部分的調整−この場合、ＯＴＤＯＡサブフレームは、部分的な重なり有する（たとえば、５００μｓ）。ＵＥは、たとえば、サービングセルＰＲＳサブフレームの１つのサブフレームの中の隣接基地局からＰＲＳ送信を探す必要がある（たとえば、検索ウィンドウ＝１サブフレーム）。この場合でも、サービングセルおよび隣接セルのＳＦＮ数は、調整される場合とされない場合がある。この場合、ＯＴＤＯＡサブフレームの重なりがすべての送信基地局間で少なくとも１ｍｓであるように、複数のサブフレームがＰＲＳ送信に採用されてもよい（たとえば、具体的なＰＲＳパターンを有する２つまたはそれ以上の連続サブフレームが送信されてもよい）。さらに、一定の基地局からの送信は、２つまたはそれ以上の連続サブフレームに対してミューティングされてもよい（たとえば、サービングセル）。２つまたはそれ以上の連続サブフレームに対する基地局の一定の部分集合と、２つまたはそれ以上の連続サブフレームに対する基地局送信ＯＴＤＯＡサブフレームの別の部分集合とをミューティングする−２つの組合せが使用可能であってもよい。
ｃ）非同期−この場合、ＯＴＤＯＡサブフレームは重なりを全く有していないかもしれない。この場合、ＳＦＮ数は調整されない。この場合、検索ウィンドウサイズは、ＯＴＤＯＡサブフレーム送信の最大周期性に設定されうる（たとえば、最大ＯＴＤＯＡサブフレーム送信周期性が３２０ｍｓである場合、検索ウィンドウサイズ＝３２０μｓに設定すると、サービングセルＯＴＤＯＡサブフレームの±ＳＷＳ内のすべての隣接基地局にＵＥがありうる）。サービングセルに対する隣接セルの最も近いＯＴＤＯＡサブフレームの粗いタイミングオフセットを伝達することによってＵＥにさらなる支援が提供されうる。あるいは、非同期の場合、特別に設計されたＰＲＳ送信には、ＣＲＳ＋サービング・セル・ミューティングを使用することに勝る利点が全くないかもしれない。この場合、サービングセルに対する隣接セルと関連するタイミング不確定性とのサブフレームタイミングオフセットを補助ＵＥ処理に伝達することが有用であろう。ＣＲＳ送信は１０ｍｓの周期性を有しており、無線フレーム内のサブフレームオフセットを知ることは、サービングセルからミューティングされるサブフレームの必要性に対応するＣＲＳテンプレートの相関サイズをＵＥが制限するのに役立つであろう。たとえば、ＣＲＳテンプレートの長さは、１ｍｓの受信信号を１０ｍｓのテンプレートに関連付けずに、１ｍｓ＋隣接基地局のサブフレームタイミングに関連するタイミング不確定性に設定されうる。この支援信号によって、複雑さが緩和されて性能が向上する。
【００３４】
考えられるすべての場合を網羅すると、信号は以下を含むべきである。
ｉ．  サービングｅＮＢは、展開状況（たとえば、同期、部分的調整、非同期）を直接または検索ウィンドウサイズ（たとえば、同期の場合ＳＷＳ＝３×ＣＰ、部分的調整の場合ＳＷＳ＝０．５ｍｓまたは１ｍｓ、非同期の場合ＳＷＳ＝大）を介して伝達する。
ｉｉ．  サービングｅＮＢはＯＴＤＯＡサブフレームがすべての隣接基地局に対応する検索ウィンドウ内に見られるＰＣＩＤまたはサイトＩＤのリストを伝達する。
ｉｉｉ．  サービングｅＮＢは、それ自体と隣接セルの間でＳＦＮ−ＳＦＮ差を伝達する（あるいは、サービングｅＮＢは隣接セルからのＰＲＳ送信の状態に対応する「シード（ｓｅｅｄ）」デルタを送信しうるだけである）。
ｉｖ．  サービングセルは、隣接セルに関連する周波数情報を伝達する。周波数層によって異なる隣接セルリストを有する可能性があり、考えられるすべての周波数層の部分集合のみがＯＴＤＯＡサブフレーム送信に使用されてよい。
ｖ．  非同期の場合、サービングｅＮＢは、信号検索ウィンドウサイズの代わりにそれ自体に関する隣接基地局の粗いＯＴＤＯＡサブフレームタイミングを提供しうる。
ｖｉ．  非同期の場合、サービングｅＮＢは、サービング・セル・ミューティングの必要性を伝達しうる。ＵＥはミューティングされたサブフレームですべての隣接基地局を探す。支援データは１組のＰＣＩＤを含む可能性があり、さらに、ＵＥ処理を支援するためにサービングｅＮＢおよび関連するタイミング不確定性に対する隣接基地局のサブフレームオフセット（ＣＲＳ送信は１０ｍｓごとに１回反復するので）を含みうる。
【００３５】
無線端末に関する別の実施形態は、基地局１０３、１０４、１０５に対するＰＣＩＤまたはサイトＩＤのリストを含む、サービング基地局および隣接基地局に対してＯＴＤＯＡサブフレームとして指定される時間的な繰り返しパターン（たとえば、Ｎ＝３２０サブフレームごとに１／２サブフレームがＯＴＤＯＡサブフレームとして指定される）を有する特別に指定されたサブフレーム（ＯＴＤＯＡとも称される）で基準信号送信に関する受信信号情報を含みうる。方法は、サービング基地局および隣接基地局に対応する周波数層情報を受信することを含んでいてもよい。方法は、さらに、すべての隣接セルに適用可能なＯＴＤＯＡ測定のために基準信号送信に関連する最小測定帯域幅を受信することを含んでいてもよい。方法は、さらに、サービング基地局および隣接基地局からのＯＴＤＯＡサブフレーム送信が直接指示またはＵＥ検索ウィンドウサイズによって調整、部分的調整、または非同期のいずれであるかに関する展開型情報を受信することを含んでいてもよい。方法は、サービングセルに対する隣接セルのシステムタイミング（これはサービングに対する各隣接基地局のＳＦＮ−ＳＦＮタイミング差および／またはＰＲＳ送信の状態−状態差でありうる）を受信することを含んでいてもよい。方法は、ＵＥが隣接セルＯＴＤＯＡ測定を実施するものと予想されるサービングセル（たとえば、ＳＦＮ＋サブフレーム番号）からミューティングされたサブフレームに関するＯＴＤＯＡ測定および情報のＣＲＳを使用するための指示を受信することを含んでいてもよく、あるいはサービングに対する隣接基地局のサブフレーム−サブフレームタイミング差を受信することをさらに含んでいてもよい。方法は、ＯＴＤＯＡ測定のための基準信号送信に関連する時間−周波数資源を決定することを含んでいてもよい。方法は、さらに、基準タイミングに対する基地局からの送信到達時間を測定することを含んでいてもよい。
【００３６】
別の実施形態は、ｅＮＢ間のＰＲＳタイミング情報を交換することに関する。サービングｅＮＢは、Ｓ１またはＸ２インターフェースを用いてその隣接基地局のＰＲＳサブフレームのタイミングを見出しうる（たとえば、それ自体のタイミングに対する隣接基地局のＳＦＮ番号およびサブフレームインデックス）。サービングｅＮＢおよび隣接ｅＮＢの両方がＧＰＳを有する場合、それぞれのＰＲＳサブフレームの送信に対応するＧＰＳシステム時間を交換しうる。サービングｅＮＢおよび／または隣接ｅＮＢがＧＰＳシステム時間にアクセスできない場合、このタイミングオフセットを報告するために他の方法が採用されなければならない。このような１つの方法では、サービングｅＮＢは、その次のＰＲＳのサブフレームを送信するまでの時間間隔を提供するよう要求することになり、それに応じて、隣接ｅＮＢはこの時間間隔を報告することになる。この情報を解釈するために、サービングｅＮＢはＳ１またはＸ２インターフェース用のそれ自体と隣接ｅＮＢの間の往復遅延を知る必要があるであろう。この遅延は、ＩＥＥＥ  １５８８で認定されているものなどのプロトコルを用いて較正されうる。第２の基地局のシステムタイミング情報に基づいて、第１の基地局は、その後、タイミング情報を用いてＯＴＤＯＡ基準信号の送信をスケジュールし、ここで、第１および第２の基地局からのＯＴＤＯＡ基準信号の送信が時間的に実質的に重なり、第１および第２の基地局からのＯＴＤＯＡ基準信号が実質的に異なるように送信がスケジュールされる。基準信号は、１組の時間周波数資源を介して送信される一連のシンボルを備える。使用されるシーケンスまたは基準信号の送信に使用される時間−周波数資源のいずれかが２つの基地局間で異なる場合、基準信号は異なる。
【００３７】
この実施形態は、ＬＴＥ  Ｒｅｌ−９におけるＰＲＳ送信が完全に調整されるかそれとも部分的に調整されるかの可能性を明らかにする。基地局間のタイミングを確立することは、おそらく、Ｘ２を介してＧＮＳＳ（ＧＮＳＳ）／ＧＰＳおよび／または基地局間通信によって行われる。特にＬＴＥでは、ＯＴＤＯＡサブフレームのタイミングと、これらの送信に関連する擬似ランダム数発生器（たとえば、ＳＦＮ番号）の関連状態とは、ＵＥ処理を支援するためのＵＥへの信号に対して有用な量であろう。この実施形態では、タイミング情報がＯＴＤＯＡサブフレームに対応する基準システム時間（たとえば、ＧＮＳＳ、ＧＰＳ）である場合にＳ１またはＸ２インターフェースを介して第２の基地局とＯＴＤＯＡサブフレーム送信タイミング情報を交換する無線基地局を含みうる。タイミング情報は、２つのセルからのＳＦＮ−ＳＦＮ差に関連する送信であってもよく、あるいは、特に、２つのセルからのＰＲＳ送信に対応する単に状態−状態差であってもよい。タイミング情報は、信号伝達時点から次のＰＲＳ送信までの時間に対応していてもよい。方法は、さらに、ＰＲＳ送信の周期性、第３の基地局などに関係しているタイミング情報などを含む他のサイド情報を交換することを含んでいてもよい。
【００３８】
したがって、無線端末（ＵＥ１１０、図１）は、少なくとも１つの特別に指定されたサブフレームでの基準信号送信に関し、信号情報はリストを含み、リストは図５のステップ５０１に記述されるような基地局識別情報を含むことが分かる。無線端末は、リストの基地局識別情報の少なくとも１つから、ブロック５０２の上記少なくとも１つの基地局識別情報に関連する送信基地局からの観測到達時間差（ＯＴＤＯＡ）測定のための基準信号送信に関連する時間−周波数資源を決定する。基準タイミングに対する送信基地局からの送信の到達時間は、ステップ５０３で測定される。本発明のこの新規な動作は、図２の無線端末に示すプロセッサなど、ＵＥ１１０におけるプロセッサで実行するプログラムの制御下で実施されうる。
【００３９】
別の実施形態によると、無線端末（ＵＥ１１０、図１）は、図６のステップ６０１に示すように、基準信号を包含する周波数層（この周波数層はサービング周波数層とは異なり、このサービング周波数層は測位基準信号を包含しない）で周波数間ＯＴＤＯＡ測定の実施を開始するためにサービングセル（基地局１０３、１０４、または１０５）からコマンドを受信する。無線端末１１０は、ステップ６０２においてサービングセル搬送周波数とは異なる搬送周波数でコマンドの受信に続いてＯＴＤＯＡを実施しうる。本発明のこの新規な動作は、図２の無線端末に示すプロセッサなど、ＵＥ１１０におけるプロセッサで実行するプログラムの制御下で実施されうる。
【００４０】
さらに別の実施形態によると、基地局トランスミッタ（トランスミッタの例を図２に示す）は、図７においてステップ７０１に示すように、ＯＴＤ推定強化を目的として複数の基地局トランスミッタ（基地局１０３〜１０５における）からの基準信号送信を協調してスケジュールしうる。基地局１０３〜１０５は、複数の基地局トランスミッタから同じ基準信号を送信することが可能であり、基準信号は送信に使用される信号シーケンスおよび時間−周波数資源のいずれにおいても同じである。本発明のこの新規な動作は、図１および図２の基地局１０３、１０４、１０５に示すものなど、基地局の各々におけるプロセッサで実行するプログラムの制御下で実施されうる。
【００４１】
前述の明細では、具体的な実施形態を説明してきた。しかしながら、当業者は、以下の特許請求の範囲に記述するような本発明の範囲から逸脱することなく、様々な修正および変更がなされうることを理解している。したがって、本明細書および図面は、限定的意味ではなく例示的意味であると見なされるべきであり、このようなすべての修正は本教示の範囲に含まれるものである。
【００４２】
便益、優位性、問題の解決方法、ならびに任意の便益、優位性、または解決方法をもたらし、あるいは、より顕著にする可能性のあるいかなる要素も、請求項の一部または全部の重要な、必要な、または本質的な特徴または要素と解釈されるべきでない。本発明は、本出願の係属中に行われるあらゆる補正を含む添付の特許請求の範囲および発行される特許請求の範囲のすべての等価物によってのみ規定される。
【００４３】
さらに、本明細書では、第１および第２、上部および下部などの関係語は、１つの実体または作用を別の実体または作用と区別するためにのみ使用される場合があり、このような実体または作用の間に実際にこのような何らかの関係または順序を必ずしも必要とするものでなくまたは暗示するものでない。「備える」、「有する」、「含む」、「包含する」、またはこれらの他の変型は、要素のリストを備え、有し、含み、包含するプロセス、方法、物品、または装置がこれらの要素のみを含まず、明示的に列挙されないか、このようなプロセス、方法、物品、または装置に固有の他の要素を含んでいてもよいように、非排他的包含を網羅することが意図されている。「…を備える（ｃｏｍｐｒｉｓｅｓ…ａ）」、「…を有する（ｈａｓ…ａ）」「…を含む（ｉｎｃｌｕｄｅｓ…ａ）」、「…を包含する（ｃｏｎｔａｉｎｓ…ａ）」が先行する要素は、さらなる制限がない限り、要素を備え、有し、含み、包含するプロセス、方法、物品、または装置においてさらに同じ要素の存在を除外するものではない。「１つの」という用語は、本明細書において特に明記しない限り、「１つまたは複数の」と定義される。「実質的に（ｓｕｂｓｔａｎｔｉａｌｌｙ）」、「本質的に（ｅｓｓｅｎｔｉａｌｌｙ）」、「近似的に（ａｐｐｒｏｘｉｍａｔｅｌｙ）」、「約（ａｂｏｕｔ）」、またはこれらの他のバージョンは、当業者による理解に近いものとして定義され、非限定的な一実施形態では、用語は１０％以内であり、別の実施形態では５％以内であり、別の実施形態では１％以内であり、さらに別の実施形態では０．５％であると定義される。本明細書で使用される「ｃｏｕｐｌｅｄ（結合される）」という用語は、「接続される（ｃｏｎｎｅｃｔｅｄ）」と定義されるが、必ずしも直接でなく、必ずしも機械的でない。一定の方法で「構成される（ｃｏｎｆｉｇｕｒｅｄ）」デバイスまたは構造物は、少なくともそのように構成されるが、列挙されない方法で構成されてもよい。
【００４４】
一部の実施形態では、本明細書に記載する方法および／または装置の機能の一部、ほとんど、またはすべてを一定の非プロセッサ回路と連携して実施するために１つまたは複数のプロセッサを制御する、マイクロプロセッサ、ディジタル信号プロセッサ、特注プロセッサおよびフィールド・プログラマブル・ゲート・アレイ（ＦＰＧＡ）、ならびに固有の格納されたプログラム命令（ソフトウェアおよびファームウェアの両方を含む）など、１つまたは複数の汎用または専用プロセッサ（または処理デバイス）を利用してもよいことは理解されよう。あるいは、一部またはすべての機能は、格納されたプログラム命令を有しない状態機械、あるいは１つまたは複数の特定用途向け集積回路（ＡＳＩＣ）によって実施可能であり、その場合、各機能または一定の機能の一部の組合せがカスタム論理として実施される。当然ながら、２つのアプローチの組合せが採用されうる。
【００４５】
さらに、ある実施形態は、本明細書において記載され主張されるような方法を実施するためにコンピュータ（たとえば、プロセッサを備える）をプログラムするために格納されたコンピュータ可読コードを有するコンピュータ可読記憶媒体として実施されうる。このようなコンピュータ可読記憶媒体の例は、ハードディスク、ＣＤ−ＲＯＭ、光記憶デバイス、磁気記憶デバイス、ＲＯＭ（リード・オンリー・メモリ）、ＰＲＯＭ（プログラマブル・リード・オンリー・メモリ）、ＥＰＲＯＭ（消去可能ＰＲＯＭ）、ＥＥＰＲＯＭ（電気的消去可能ＲＯＭ）、およびフラッシュメモリを含むが、これらに限定されない。さらに、当業者は、たとえば、使用可能時間、最新技術、ならびに経済的考察によって動機付けられた、場合によっては多大な努力と多くの設計上の選択肢があるにせよ、本明細書において開示された概念および原理によって誘導されると、このようなソフトウェア命令およびプログラムと最小限の実験によるＩＣとを容易に生成しうるものと予想される。
【００４６】
一部の実施形態では、本明細書に記載する方法および／または装置の機能の一部、ほとんど、またはすべてを一定の非プロセッサ回路と連携して実施するために１つまたは複数のプロセッサを制御する、マイクロプロセッサ、ディジタル信号プロセッサ、特注プロセッサおよびフィールド・プログラマブル・ゲート・アレイ（ＦＰＧＡ）、ならびに固有の格納されたプログラム命令（ソフトウェアおよびファームウェアの両方を含む）など、１つまたは複数の汎用または専用プロセッサ（または処理デバイス）を利用してもよいことは理解されよう。あるいは、一部またはすべての機能は、格納されたプログラム命令を有しない状態機械、あるいは１つまたは複数の特定用途向け集積回路（ＡＳＩＣ）によって実施可能であり、その場合、各機能または一定の機能の一部の組合せがカスタム論理として実施される。当然ながら、２つのアプローチの組合せが採用されうる。
【００４７】
さらに、ある実施形態は、本明細書において記載され主張されるような方法を実施するためにコンピュータ（たとえば、プロセッサを備える）をプログラムするために格納されたコンピュータ可読コードを有するコンピュータ可読記憶媒体として実施されうる。このようなコンピュータ可読記憶媒体の例は、ハードディスク、ＣＤ−ＲＯＭ、光記憶デバイス、磁気記憶デバイス、ＲＯＭ（リード・オンリー・メモリ）、ＰＲＯＭ（プログラマブル・リード・オンリー・メモリ）、ＥＰＲＯＭ（消去可能ＰＲＯＭ）、ＥＥＰＲＯＭ（電気的消去可能ＲＯＭ）、およびフラッシュメモリを含むが、これらに限定されない。さらに、当業者は、たとえば、使用可能時間、最新技術、ならびに経済的考察によって動機付けられた、場合によっては多大な努力と多くの設計上の選択肢があるにせよ、本明細書において開示された概念および原理によって誘導されると、このようなソフトウェア命令およびプログラムと最小限の実験によるＩＣとを容易に生成しうるものと予想される。
【００４８】
技術的開示の本質を読者が素早く確認できるように本開示の要約書を掲載する。これは、特許請求の範囲の範囲または意味を解釈または制限するために利用されないとの理解のもとに提示される。さらに、前述の「発明を実施するための形態」では、様々な機能が開示を合理化するために様々な実施形態でまとめられている。この開示方法は、主張される実施形態が各請求項に明示的に列挙された特徴よりも多くの特徴を必要とするとの意図を反映するものと解釈されるべきでない。むしろ、以下の特許請求の範囲が示すように、発明の主題は、開示された単一の実施形態のすべての特徴よりも少ない。それゆえ、以下の特許請求の範囲は本明細書によって「発明を実施するための形態」に組み入れられ、各請求項は別々に主張される主題として自立している。
【図１】
0005443598.tif 000002
【図２】
0005443598.tif 000003
【図３】
0005443598.tif 000004
【図４】
0005443598.tif 000005
【図５】
0005443598.tif 000006
【図６】
0005443598.tif 000007
【図７】
0005443598.tif 000008